(57)【要約】      （修正有）【課題】様々な容器に組み合わせて使用するものであり、簡単で利便性を向上させた機能付き蓋を提供する。【解決手段】機能付き蓋は、凸部１１及び環形部を備える蓋本体１０を有し、その内、凸部が蓋本体に凸設され、環形部が凸部の外周の底縁に延設され、蓋本体と環状部材２０との間に収納スペースが備わるので、その収納スペースにお菓子や、チキンナゲット、フライドポテトなどのファストフードを収納することができる。また、その蓋本体がお茶や、ジュース、炭酸飲料などのドリンクの容器に組合わせると、使用者が一方の手で容器を持ちながら、他方の手で環状部材の内部のお菓子を取って食べることができる。【選択図】図１
0003199378.tif 000002
【実用新案登録請求の範囲】
【請求項１】
凸部及び環形部を備える蓋本体を有し、その内、該凸部が蓋本体に凸設され、該環形部が凸部の外周の底縁に延設されることを特徴とする機能付き蓋。
【請求項２】
前記蓋本体はさらに、環状壁及び係合部を備え、該環状壁が環形部の外周縁の上方に延設され、該係合部が環状壁の外周の底縁に設けられ、また、該環状壁の底縁の外径が係合部の外径より大きいことを特徴とする請求項１に記載の機能付き蓋。
【請求項３】
前記係合部に断面Ｌ字形の突出部が設けられ、該突出部の内側に内側壁部が設けられると共に、外側に外側壁部が設けられ、該内側壁部の高さが外側壁部の高さより高く、該内側壁部と外側壁部との間に係合溝部が形成され、該係合溝部の幅が環状部材の厚さと同一であることを特徴とする請求項２に記載の機能付き蓋。
【請求項４】
前記凸部は、凹部と、環状凸縁と、第一溝部と、第一環状掛合凸部と、挿設穴とを備え、その内、該凹部は、凸部の底部に凹設され、該環状凸縁は、凹部の内周面と間隔をおいて、該凹部の底面に延設され、該第一溝部は紙コックを係合するための溝部であり、該環状凸縁と凹部の内周面との間に形成され、該第一環状掛合凸部は、該凹部の内周面に凸設され、該挿設穴は、凸部を貫通するように形成されることを特徴とする請求項１乃至３の何れか１項に記載の機能付き蓋。
【請求項５】
前記凸部は、凹部と、第一環状溝部と、第二環状溝部と、第三環状溝部と、組み合わせ部と、挿設穴とを備え、その内、該凹部は、凸部の底部に凹設され、該第一環状溝部は紙コップを係合するための溝部であり、凹部の底面に凹設されると共に、紙コップ掛合部を備え、また、該第二環状溝部はプラスチックコップを係合するための溝部であり、凹部の底面に凹設されると共に、プラスチックコップ掛合部を備え、且つ、該第二環状溝部の直径は第一環状溝部の直径より大きく、該第三環状溝部は缶を係合するための溝部であり、凹部の底面に凹設されると共に、掛合部を備え、且つ、該第三環状溝部の直径は第一環状溝部の直径より小さく、該組み合わせ部は、凹部の底面に凹設されると共に、ペットボトルに掛合するためのペットボトル掛合部を備え、且つ、該組み合わせ部の直径は第三環状溝部の直径より小さく、該挿設穴は凸部を貫通するように形成されることを特徴とする請求項１乃至３の何れか１項に記載の機能付き蓋。
【請求項６】
請求項１乃至５の何れか１項に記載の機能付き蓋を有する容器において、
蓋本体と、環状部材と、容器部材とを有し、
前記環状部材は、係合部に係合するように、着脱可能に蓋本体に取り付けられると共に、環状本体と、少なくとも１つの第一結合部と、少なくとも１つの第二結合部とを備え、その内、第一結合部は、環状本体の一方の斜面に設けられ、該第二結合部は、第一結合部と対応するように環状本体の他方の斜面に設けられ、
前記容器部材は、着脱可能に蓋本体取り付けられ、開口近傍の周縁に上縁部が設けられると共に、内部に収容空間が形成され、また、該上縁部が蓋本体の下側から凸部に組み合わせられることを特徴とする機能付き蓋を有する容器。
【請求項７】
さらに蓋を有し、該蓋は、環状部材をカバーするように、蓋本体に組み合わされることを特徴とする請求項６に記載の機能付き蓋を有する容器。
【請求項８】
前記凸部の上面に少なくとも１つの凹み部が凹設されることを特徴とする請求項７に記載の機能付き蓋を備える容器。
【考案の詳細な説明】
【技術分野】
【０００１】
本考案は、特に様々な容器に組み合わされて使用するものであり、簡単で利便性が向上した、機能付き蓋を有する容器に関するものである。
【背景技術】
【０００２】
食べ物や飲み物を購入する時は、一方の手で食べ物を持ちながら、他方の手で飲み物を持つことがよくあるが、このような状況では、飲み物をある場所に置かないと、食べ物を取って食べることができない。
【０００３】
本願考案の出願人は、台湾特許公開第２０１４２０４４５号に折り畳んで収納可能な容器を有し、その容器は、コップ本体及び折り畳み部材を有し、そのうちコップ本体は、壁部及び収容凹部を備え、該折り畳み部材は、壁部と、複数の折り線と、接着部とを備え、該複数の折り線が折り畳み部材の壁部に設けられることから、それらの折り線に沿って折り畳めば、折り畳み部材を変形させて、接着部をコップ本体の壁部に結合させることができる。
【先行技術文献】
【特許文献】
【０００４】
【特許文献１】特表２０１３−５０１７０９号公報
【考案の概要】
【考案が解決しようとする課題】
【０００５】
上述した折り畳んで収納可能な容器によれば、飲料を飲みながら、食べ物を手で取って食べることができるが、そのコップ本体と折り畳み部材とが一体に結合していることから、折り畳んで収納可能な容器を大量に搬送する時、コップ本体と折り畳み部材とを別々に分けることができない。このように、体積が大きく、搬送及び在庫が極めて不便であるので、所定の空間に収容できる数量が少ない。
【課題を解決するための手段】
【０００６】
本考案に係る機能付き蓋は、凸部と、環形部と、環状壁と、係合部とを備える蓋本体を有し、その内、該凸部が蓋本体に凸設され、該環形部が凸部の外周の底縁に延設され、該環状壁が環形部の外周縁の上方に延設され、該係合部が環状壁の外周の底縁に設けられ、また、該環状壁の底縁の外径が係合部の外径より大きいものである。
【０００７】
かかる機能付き蓋において、前記係合部に断面Ｌ字形の突出部が設けられ、該突出部の内側に内側壁部が設けられると共に、外側に外側壁部が設けられ、該内側壁部の高さが外側壁部の高さより高く、該内側壁部と外側壁部との間に係合溝部が形成され、該係合溝部の幅が環状部材の厚さと同一であることが好ましい。
【０００８】
かかる機能付き蓋において、前記凸部は、凹部と、環状凸縁と、第一溝部と、第一環状掛合凸部と、挿設穴とを備え、その内、該凹部は、凸部の底部に凹設され、該環状凸縁は、凹部の内周面と間隔をおいて、該凹部の底面に延設され、該第一溝部は紙コックを係合するための溝部であり、該環状凸縁と凹部の内周面との間に形成され、該第一環状掛合凸部は、該凹部の内周面に凸設され、該挿設穴は、凸部を貫通するように形成されることが好ましい。
【０００９】
かかる機能付き蓋において、前記凸部は、凹部と、第一環状溝部と、第二環状溝部と、第三環状溝部と、組み合わせ部と、挿設穴とを備え、その内、該凹部は、凸部の底部に凹設され、該第一環状溝部は紙コップを係合するための溝部であり、凹部の底面に凹設されると共に、紙コップ掛合部を備え、また、該第二環状溝部はプラスチックコップを係合するための溝部であり、凹部の底面に凹設されると共に、プラスチックコップ掛合部を備え、且つ、該第二環状溝部の直径は第一環状溝部の直径より大きく、該第三環状溝部は缶を係合するための溝部であり、凹部の底面に凹設されると共に、掛合部を備え、且つ、該第三環状溝部の直径は第一環状溝部の直径より小さく、該組み合わせ部は、凹部の底面に凹設されると共に、ペットボトルに掛合するためのペットボトル掛合部を備え、且つ、該組み合わせ部の直径は第三環状溝部の直径より小さく、該挿設穴は凸部を貫通するように形成されることが好ましい。
【００１０】
さらに、本考案に係る機能付き蓋を有する容器においては、上述した蓋本体と、環状部材と、容器部材とを有し、
そのうち、前記環状部材は、係合部に係合するように、着脱可能に蓋本体に取り付けられると共に、環状本体と、少なくとも１つの第一結合部と、少なくとも１つの第二結合部とを備え、その内、第一結合部は、環状本体の一方の斜面に設けられ、該第二結合部は、第一結合部と対応するように環状本体の他方の斜面に設けられ、
前記容器部材は、着脱可能に蓋本体取り付けられ、開口近傍の周縁に上縁部が設けられると共に、内部に収容空間が形成され、また、該上縁部が蓋本体の下側から凸部に組み合わせられるものである。
【００１１】
かかる機能付き蓋を有する容器において、さらに蓋を有し、該蓋は、環状部材をカバーするように、蓋本体に組み合わされることが好ましい。
【００１２】
かかる機能付き蓋を有する容器において、前記凸部の上面に少なくとも１つの凹み部が凹設されることが好ましい。
【考案の効果】
【００１３】
前記構造によれば、本考案に係る機能付き蓋を有する容器は、以下に示すようなメリットを有する。
１. 環状部材が着脱可能に蓋本体の上部に取り付けられることにより、蓋本体との間に収納スペースが形成されるので、その収納スペースにお菓子や食べ物を収納することができ、また、その容器部材が着脱可能に蓋本体の下部に組み合わされることにより、容器部材の内部に収容空間が形成されるので、その収容空間にお茶や炭酸飲料などのドリンクを収容することができる。この構成によれば、蓋本体の上部に食べ物を収納すると共に、下部に飲み物を収容することができることから、固体及び液体のものを同時に収納できるので、実用性が高い。さらに、その環状部材または収容部材を必要に応じて蓋本体から取り外して、他の環状部材または収容部材と取り替えることもできることから、食べ物やドリンクを自由に入れ替えることができる。
【００１４】
２. その蓋本体は、紙コップや、プラスチックコップ、缶、ペットボトルなどの様々な容器に組み合わせる可能であり、尚且つタイプの異なる容器にも組み合わせることができ、また、その蓋本体に中空状の環状部材を取り付けると、その内部に食べ物を収納することができることから、使用者は容器部材のドリンクを飲みながら食べ物を食べることができる。さらに、持ち運ぶ場合には、使用者が片手でドリンクの容器部材を持てば、蓋本体１０及び環状部材も一緒に持ち運ぶことができる。
【００１５】
３. また、その環状部材は、平坦状に展開することができるので、使用しない時に、複数の環状部材を一枚一枚で重ねて大量に収納することができて、収納スペースを節約することができる。
【図面の簡単な説明】
【００１６】
【図１】本考案に係る機能付き蓋を有する容器の第一実施例の斜視図である。
【図２】本考案に係る機能付き蓋を有する容器の第一実施例の分解斜視図である。
【図３】本考案に係る機能付き蓋を有する容器の第一実施例の側面視断面図である。
【図４】本考案に係る機能付き蓋を有する容器の第一実施例の一部の拡大断面図である。
【図５】本考案に係る機能付き蓋を有する容器の係合部を示す拡大断面図である。
【図６】本考案に係る機能付き蓋を有する容器の他の係合部を示す拡大断面図である。
【図７】本考案に係る機能付き蓋を有する容器の環状部材を展開する状態を示す平面図である。
【図８】本考案に係る機能付き蓋を有する容器の他の環状部材を展開する状態を示す平面図である。
【図９】本考案に係る機能付き蓋を有する容器の第二実施例の斜視図である。
【図１０】本考案に係る機能付き蓋を有する容器の第二実施例の分解斜視図である。
【図１１】本考案に係る機能付き蓋を有する容器の第二実施例において、紙コップに使用する状態を示す側面視断面図である。
【図１２】本考案に係る機能付き蓋を有する容器の第二実施例において、プラスチックコップに使用する状態を示す側面視断面図である。
【図１３】本考案に係る機能付き蓋を有する容器の第二実施例において、アルミ缶に使用する状態を示す側面視断面図である。
【図１４】本考案に係る機能付き蓋を有する容器の第二実施例において、ペットボトルに使用する状態を示す側面視断面図である。
【図１５】本考案に係る機能付き蓋を有する容器の第三実施例の部分分解斜視図である。
【図１６】本考案に係る機能付き蓋を有する容器の第三実施例の側面視断面図である。
【図１７】本考案に係る機能付き蓋を有する容器の第四実施例の斜視図である。
【図１８】本考案に係る機能付き蓋を有する容器の第四実施例の側面視断面図である。
【考案を実施するための形態】
【００１７】
図１乃至図３に示すように、本考案に係る機能付き蓋を有する容器における第一実施例は、蓋本体１０を有し、その蓋本体１０の上部に環状部材２０が取り付けられ、下部に容器部材３０が取り付けられる。
【００１８】
図２及び図５に示すように、蓋本体１０は、中心に凸部１１が凸設され、該凸部１１の外周の底縁に環形部１２が水平状且つ環状に設けられ、該環形部１２の外周縁に環状壁１３が上方へ延設され、該環状壁１３の外周面の底縁に係合部１４が設けられ、該係合部１４の外径は、環状壁１３の底縁の外径よりも大きい設計となっている。
【００１９】
図２、図３及び図７に示すように、環状部材２０は、着脱可能に蓋本体１０に取り付けられると共に、環状本体２１と、少なくとも１つの第一結合部２２と、少なくとも１つの第二結合部２３とを備え、その内、環状本体２１は、上側の円周長さが下側の円周長さよりも長いと共に、相対する両側の斜面の長さが同一である、薄型のシートからなり、該第一結合部２２は、環状本体２１の一方の斜面に設けられ、該第二結合部２３は、第一結合部２２と対応するように環状本体２１の他方の斜面に設けられ、該第一結合部２２がそれぞれ対応する第二結合部２３に組み合わせると、環状本体２１が中空状且つ円錐台状となる。
【００２０】
図３及び図５に示すように、他の実施例においては、その蓋本体１０の係合部１４の外周面に更に、環状の突出部１４１が凸設されることから、環状部材２０を蓋本体１０に環装する時、環状部材２０が、下方から蓋本体１０の係合部１４を越えて環状壁１３の外周面に当接しながら、その下縁が突出部１４１に当接する。この構成によれば、環状部材２０が蓋本体１０に環装するので、突出部１４１から落下することはない。
なお、その蓋本体１０は、プラスチックからなることが好ましく、環状部材２０は、変形可能な紙や薄型のプラスチックシートや、印刷材料からなってもよく、わずかに変形可能な材質であれば、下方から蓋本体１０に環装しやすくなる。
【００２１】
図６に示すように、他の実施例においては、蓋本体１０の係合部１４ｂが上述の実施例と異なる。つまり、本実施例の係合部１４ｂは、断面Ｌ字形の突出部１４１ｂを備え、該突出部１４１ｂの内側に内側壁部１４１１ｂが設けられると共に、外側に外側壁部１４１２ｂが設けられ、該内側壁部１４１１ｂの高さが外側壁部１４１２ｂの高さより高く、該内側壁部１４１１ｂと外側壁部１４１２ｂとの間に係合溝部１４１３ｂが形成され、該係合溝部１４１３ｂの幅が環状部材２０の厚さと同一であり、それによれば、環状部材２０を蓋本体１０に装設する場合に、該環状部材２０が下方から蓋本体１０に環設して、該環状部材２０の下縁が係合部１４ｂの係合溝部１４１３ｂに嵌め込んで突出部１４１ｂに係合する。。
【００２２】
図７に示すものは、本実施例における環状部材２０の第一結合部２２及び第二結合部２３の一例であり、その内、該第一結合部２２は、掛合部２２１であり、該第二結合部２３は、受け穴２３１であり、該掛合部２２１は、着脱可能に受け穴２３１に嵌め込まれる。
【００２３】
図８に示すものは、本実施例における環状部材２０の第一結合部２２c及び第二結合部２３cのもう一つの例であり、その内、該第一結合部２２cは、張り合わせ面２２１cであり、該第二結合部２３cは、接着面２３１cであり、該張り合わせ面２２１cが接着面２３１cに接着される。なお、前記接着面２３１cには、両面テープまたは接着剤が用いられる。
【００２４】
また、図７及び図８に示すように、その環状部材２０は平坦状に展開することができることから、使用しない時は、複数の環状部材２０を一枚一枚で重ねて大量に収納することができるので、収納スペースを節約することができる。
【００２５】
図２及び図３に示すように、前記容器部材３０は、着脱可能に環状部材２０が装着される蓋本体１０に組み合わせられる。本実施例における容器部材３０は、飲み物を収容するためのコップや、ビン、缶などの容器であり、開口近傍の周縁に上縁部３１が設けられ、内部に収容空間３２が形成され、外周面は印刷可能な材料からなってもよい。また、機能付き蓋を有する容器を使用する時は、一方の手で容器部材３０を持ちながら、他方の手で蓋本体１０と環状部材２０との間に収容されたお菓子を取って食べることができる。
【００２６】
図３及び図４に示すものは、本実施例の蓋本体１０の凸部１１の一例であり、該凸部１１は、凹部１１１と、環状凸縁１１２と、第一溝部１１３と、第一環状掛合凸部１１４と、挿設穴１１５とを備え、その内、該凹部１１１は、凸部１１の底部に凹設され、該環状凸縁１１２は、凹部１１１の内周面と所定の間隔をおいて、凹部１１１の内周面と間隔をおいて、該凹部１１１の底面に延設され、該第一溝部１１３は、紙コックを係合するための溝部であり、該環状凸縁１１２と凹部１１１の内周面との間に形成され、該第一環状掛合凸部１１４は、該凹部１１１の内周面に凸設され、該挿設穴１１５は、凸部１１の中心を貫通するように形成される。その蓋本体１０を容器部材３０に装着する時は、容器部材３０の上縁部３１を蓋本体１０の第一溝部１１３に位置させながら、第一環状掛合凸部１１４に係合することによって、容器部材３０を蓋本体１０の凹部１１１に嵌め込む。
【００２７】
図９及び図１０に示すように、本発明に係る機能付き蓋における第二実施例においては、蓋本体１０aの中心に凸部１１aが凸設され、該凸部１１の外周面の底縁に環形部１２aがほぼ水平状且つ環状に延設され、該環形部１２aの外周縁に環状壁１３aが上方へ向かって延設され、該環状壁１３aの外周面の底縁に係合部１４aが設けられる。また、図１１に示すように、その蓋本体１０aの凸部１１aは、凹部１１１aと、第一環状溝部１１２aと、第二環状溝部１１３aと、第三環状溝部１１４aと、組み合わせ部１１５aと、挿設穴１１６aとを備え、その内、該凹部１１１aは、凸部１１aの底部に凹設される。
【００２８】
図１１に示す本実施例の機能付き蓋は、主に、紙コップに使用するものであり、その第一環状溝部１１２aは、凹部１１１aの底面に凹設され、該第一環状溝部１１２aの周縁にさらに、紙コップを係合するための溝部である紙コップ掛合部１１２１aが設けられ、前記容器部材３０は、紙コップ３０１であり、上縁部３１に紙コップ上縁部３０１１が設けられ、該紙コップ３０１が紙コップ上縁部３０１１を介して第一環状溝部１１２aに位置しながら、紙コップ掛合部１１２１aに掛合される。
【００２９】
図１２に示す本実施例の機能付き蓋は、主に、プラスチックコップに使用するものであり、その第二環状溝部１１３aは、凹部１１１aの底面に凹設され、該第二環状溝部１１３aの周縁にさらに、ラスチックコップを掛合するための溝部であるプラスチックコップ掛合部１１３１aが設けられ、前記容器部材３０は、プラスチックコップ３０２であり、上縁部３１にプラスチックコップ上縁部３０２１が設けられ、該プラスチックコップ３０２がプラスチックコップ上縁部３０２１を介して第二環状溝部１１３aに位置しながら、プラスチックコップ掛合部１１３１aに掛合される。なお、本実施例における第二環状溝部１１３aの直径は、第一環状溝部１１２aの直径より大きい設定となっている。
【００３０】
図１３に示す本実施例の機能付き蓋は、主に、缶に使用するものであり、その第三環状溝部１１４aは、凹部１１１aの底面に凹設され、該第三環状溝部１１４aの周縁にさらに、缶を係合するための溝部である缶掛合部１１４１aが設けられ、前記容器部材３０は、アルミ缶３０３であり、上縁部３１にアルミ缶上縁部３０３１が設けられ、該アルミ缶３０３がアルミ缶上縁部３０３１を介して第三環状溝部１１４aに位置しながら、缶掛合部１１４１aに掛合される。なお、本実施例における第三環状溝部１１４aの直径は、第一環状溝部１１２aの直径より小さい設定となっている。
【００３１】
図１４に示す本実施例の機能付き蓋は、主に、ペットボトルに使用するものであり、その組み合わせ部１１５aは、凹部１１１aの底面に凹設され、該組み合わせ部１１５aの周縁に、ペットボトルを掛合するための溝部であるペットボトル掛合部１１５１aが設けられ、前記容器部材３０は、ペットボトル３０４であり、上縁部３１にペットボトルの首部が設けられ、該ペットボトル３０４が首部を介して組み合わせ部１１５aに位置しながら、ペットボトル掛合部１１５１aに掛合される。なお、本実施例における組み合わせ部１１５aの直径は、第三環状溝部１１４aの直径より小さい設定となっており、前記凸部１１aの中心を貫通するように挿設穴１１６aが形成されている。
【００３２】
図１５及び図１６に示すように、本考案に係る機能付き蓋における第三実施例においては、環状部材２０が着脱可能に蓋本体１０ｂの上部に環装され、その容器部材３０は、着脱可能に蓋本体１０ｂの下部に装着され、該蓋本体１０は、中心に凸部１１ｂが凸設され、該凸部１１ｂの上面中心に組立凸柱１１１ｂが凸設され、該組立凸柱１１１ｂの中心に貫通穴１１２ｂが形成され、該凸部１１ｂの上面且つ組立凸柱１１１ｂの周囲に少なくとも１つの凹み部１１３ｂが凹設される。尚、本実施例における凸部１１ｂの上面に３つの凹み部１１３ｂが凹設されることが好ましく、その凹み部１１３ｂにケチャップなどの調味料を充填したり収容したりすることができる。
【００３３】
本実施例はさらに蓋４０を有し、その蓋４０は、環状部材２０をカバーするように、蓋本体１０ｂに組み合わされる。また、前記蓋４０は、折り線と、固定部４１と、開き部４２とを備え、該折り線は、蓋４０を横断するように設けられ、該折り線により蓋４０を固定部４１と開き部４２とに区画し、そのうち固定部４１における、組立凸柱１１１ｂと対応する箇所に組立穴４１１が形成され、該組立穴４１１を介して組立凸柱１１１ｂに係合され、一方、該開き部４２の外周縁に引き部４２１が延設され、該引き部４２１を引き上げると、開き部４２を開くことができる。
【００３４】
本考案に係る機能付き蓋を使用する時は、蓋本体１０の上部に環状部材２０を取り付けると共に、下部に容器部材３０を取り付けることによって、蓋本体１０と環状部材２０との間に収納スペースが備わるので、その収納スペースにお菓子や、チキンナゲット、フライドポテトなどのファストフードを収納することができ、また、その容器部材３０にお茶や、ジュース、炭酸飲料などのドリンクを収容することもできる。このようにこの構成によれば、使用者が一方の手で容器部材３０を持ちながら、他方の手で環状部材２０の内部のお菓子を取って食べることができるので、使用上非常に便利であり、また、蓋本体１０の挿設穴１１５からストローを挿し込めば、容器部材３０内のドリンクを飲むことができる。
【００３５】
さらに、前蓋本体１０の凸部１１ｂの上面に凹み部１１３ｂが凹設されることから、その凹み部１１３ｂにファストフードのケチャップなどの調味料を収納することができ、片手でも調味料を付けて食べることができる。一方、持ち運ぶ場合は、蓋４０を用いて環状部材２０をカバーするように蓋本体１０に組み合わせれば、食べ物を綺麗に保存することができ、食べる時には、引き部４２１を引き上げて開き部４２を開けば、中の食べ物を簡単に取ることができる。
【００３６】
図１７及び図１８に示すように、本考案に係る機能付き蓋における第四実施例は、殆ど第一実施例と同一であるが、環状壁１３及び係合部１４を有しないと共に、蓋本体１０ｄと環状部材２０ｄとが一体に成形されることが異なる。そのうち、該蓋本体１０ｄは、中心に凸部１１ｄが凸設され、該凸部１１ｄの外周の底縁に環形部１２ｄが水平状且つ環状に設けられ、該凸部１１ｄの上面中心に貫通穴１１２ｄが形成され、該凸部１１ｄの上面かつ貫通穴１１２ｄの周囲に少なくとも１つの凹み部１１３ｄが凹設され、該凹み部１１３ｄにケチャップなどの調味料を充填したり収容したりすることができる。該環状部材２０ｄは、蓋本体１０ｄと一体に形成され、また、該環状部材２０ｄにおける、第一結合部２２ｄが第二結合部２３ｄに組み合わせることによって、中空状且つ円錐台状の環状本体２１ｄを構成し、該環状本体２１ｄの底縁が粘着手段やプレス加工、一体成形加工などの技術手段による蓋本体１０ｄの環形部１２ｄと一体に形成される。その容器部材３０ｄは、着脱可能に環状部材２０ｄが装着される蓋本体１０ｄに組み合わせられる。
一方、本実施例の蓋本体１０ｄ及び環状部材２０ｄは、古紙パルプまたは再生パルプを用いて一体形成のパルプモールドであってもよい。
【符号の説明】
【００３７】
１０、１０a、１０ｂ、１０ｄ 蓋本体
１１、１１a、１１ｂ、１１ｄ 凸部
１１１、１１１a 凹部
１１１ｂ 組立凸柱
１１２ 環状凸縁
１１２a 第一環状溝部
１１２ｂ、１１２ｄ 貫通穴
１１２１a 紙コップ掛合部
１１３ 第一溝部
１１３a 第二環状溝部
１１３ｂ、１１３ｄ 凹み部
１１３１a プラスチックコップ掛合部
１１４ 第一環状掛合凸部
１１４a 第三環状溝部
１１４１a 缶掛合部
１１５ 挿設穴
１１５a 組み合わせ部
１１５１a ペットボトル掛合部
１１６a 挿設穴
１２、１２a、１２ｄ フレンジ
１３、１３a 環状壁
１４、１４a、１４ｂ 係合部
１４１、１４１ｂ 突出部
１４１１ｂ 内側壁部
１４１２ｂ 外側壁部
１４１３ｂ 係合溝部
２０、２０ｄ 環状部材
２１ 環状本体
２２、２２c、２２ｄ 第一結合部
２２１ 掛け部
２２１c 張り合わせ面
２３、２３c、２３ｄ 第二結合部
２３１ 受け穴
２３１c 接着面
３０ 容器部材
３１ 上縁部
３２ 収容空間
３０１ 紙コップ
３０１１ 紙コップ上縁部
３０２ プラスチックコップ
３０２１ プラスチックコップ上縁部
３０３ アルミ缶
３０３１ アルミ缶上縁部
３０４ ペットボトル
４０ 蓋
４１ 固定部
４１１ 組立穴
４２ 開き部
４２１ 引き部
【図１】
0003199378.tif 000003
【図２】
0003199378.tif 000004
【図３】
0003199378.tif 000005
【図４】
0003199378.tif 000006
【図５】
0003199378.tif 000007
【図６】
0003199378.tif 000008
【図７】
0003199378.tif 000009
【図８】
0003199378.tif 000010
【図９】
0003199378.tif 000011
【図１０】
0003199378.tif 000012
【図１１】
0003199378.tif 000013
【図１２】
0003199378.tif 000014
【図１３】
0003199378.tif 000015
【図１４】
0003199378.tif 000016
【図１５】
0003199378.tif 000017
【図１６】
0003199378.tif 000018
【図１７】
0003199378.tif 000019
【図１８】
0003199378.tif 000020